(57)【要約】【課題】曲を再生する曲再生装置と通信する広告再生装置が、曲再生装置により再生される曲に対応した再生タイミングで広告コンテンツを再生するための技術を提供する。【解決手段】カラオケシステムは、曲を再生するカラオケ装置２と、広告コンテンツを再生する広告再生装置１とを備える。広告再生装置１は、カラオケ装置２と通信することにより、所定のタイミングで、カラオケ装置２において再生段階にある曲の識別情報を少なくとも含む曲情報を取得する。広告再生装置１は、広告コンテンツを再生する再生タイミングが、取得された曲情報で示される曲と対応付けられたタイアップ広告が存在するかを判断する。再生される曲に対応するタイアップ広告が存在すると判断された場合、広告再生装置１は、再生される曲に対応するタイアップ広告を、その曲の再生時期に対応付けられた再生タイミングで再生する。【選択図】図１
2014029422.tif 000002
【特許請求の範囲】
【請求項１】
曲を再生する曲再生装置と、広告コンテンツを再生する広告再生装置とを備えるシステムを構成する前記広告再生装置であって、
前記曲再生装置と通信することにより、所定のタイミングで、前記曲再生装置において再生段階にある曲の識別情報を少なくとも含む曲情報を前記曲再生装置から取得する取得手段と、
広告コンテンツを再生する再生タイミングが、前記取得手段により取得された曲情報で示される曲と対応付けられた特定広告コンテンツを示すコンテンツ識別情報が存在するかを判断する判断手段と、
前記判断手段により前記特定広告コンテンツを示すコンテンツ識別情報が存在すると判断された場合、前記取得手段により取得された曲情報に基づいて、前記判断手段により判断されたコンテンツ識別情報で示される前記特定広告コンテンツを、対応付けられた再生タイミングで再生する再生手段と、
を備えることを特徴とする広告再生装置。
【請求項２】
請求項１に記載の広告再生装置において、
前記曲再生装置は、カラオケの伴奏曲を再生するカラオケサービス用の装置であり、
前記判断手段は、広告コンテンツを再生する再生タイミングが、前記取得手段により取得された曲情報で示される曲と対応付けられた、タイアップ広告コンテンツを示す前記コンテンツ識別情報が存在するか否かを判断し、
前記再生手段は、前記判断手段によりタイアップ広告コンテンツを示す前記コンテンツ識別情報が存在すると判断された場合、前記取得手段により取得された曲情報に基づいて、前記判断手段により判断されたコンテンツ識別情報で示される前記タイアップ広告コンテンツを再生すること
を特徴とする広告再生装置。
【請求項３】
請求項１又は請求項２に記載の広告再生装置において、
前記特定広告コンテンツを再生するタイミングが、前記取得手段で取得された曲情報で示される曲の再生終了後であるか否かを判断する再生判断手段を備え、
前記再生判断手段により、前記特定広告コンテンツを再生する再生タイミングが前記曲情報で示される曲の再生終了後であると判断された場合、前記再生手段は、前記取得手段により取得された曲情報で示される曲の再生が終了したときに、前記判断手段により判断されたコンテンツ識別情報で示される前記特定広告コンテンツを再生すること
を特徴とする広告再生装置。
【請求項４】
請求項１ないし請求項３の何れか１項に記載の広告再生装置において、
前記再生手段は、予め定められた再生順リストに基づいて、所定の複数の広告コンテンツを規定の再生順に従って順次再生し、前記判断手段により前記特定広告コンテンツが存在すると判断されたときに、判断された前記特定広告コンテンツを、前記再生順リストで規定されている再生順よりも優先して再生すること
を特徴とする広告再生装置。
【請求項５】
請求項１ないし請求項４の何れか１項に記載の広告再生装置において、
前記曲再生装置により再生される曲と、広告コンテンツを再生する再生タイミングが対応付けられた特定広告コンテンツを示すコンテンツ識別情報との対応付けを示す対応付けリストを記憶する記憶手段を備え、
前記判断手段は、前記記憶手段の対応付けリストに基づいて、前記取得手段により取得された曲情報で示される曲と対応付けられた特定広告コンテンツを示すコンテンツ識別情報が存在するかを判断すること
を特徴とする広告再生装置。
【請求項６】
請求項１ないし請求項４の何れか１項に記載の広告再生装置において、
広告コンテンツを再生する再生タイミングが、前記曲再生装置により再生される曲と対応付けられた特定広告コンテンツの有無を示す判断情報を、前記曲再生装置から取得する判断情報取得手段を備え、
前記判断手段は、前記判断情報取得手段により取得された判断情報に従って、前記特定広告コンテンツが存在するかを判断すること
を特徴とする広告再生装置。
【請求項７】
曲を再生する曲再生装置と、広告コンテンツを再生する広告再生装置とを備える広告再生システムであって、
前記曲再生装置は、
再生段階に該当する曲の識別情報を少なくとも含む曲情報を前記広告再生装置に送信する送信手段を備え、
前記広告再生装置は、
前記曲再生装置と通信することにより、所定のタイミングで、前記曲再生装置から前記曲情報を取得する取得手段と、
広告コンテンツを再生する再生タイミングが、前記取得手段により取得された曲情報で示される曲と対応付けられた特定広告コンテンツを示すコンテンツ識別情報が存在するかを判断する判断手段と、
前記判断手段により前記特定広告コンテンツを示すコンテンツ識別情報が存在すると判断された場合、前記取得手段により取得された曲情報に基づいて、前記判断手段により判断されたコンテンツ識別情報で示される前記特定広告コンテンツを、対応付けられた再生タイミングで再生する再生手段と、
を備えることを特徴とする広告再生システム。
【請求項８】
曲を再生する曲再生装置と、広告コンテンツを再生する広告再生装置とを備えるシステムを構成する前記広告再生装置が広告コンテンツを再生する広告再生方法であって、
前記広告再生装置が、前記曲再生装置と通信することにより、所定のタイミングで、前記曲再生装置において再生段階にある曲の識別情報を少なくとも含む曲情報を前記曲再生装置から取得する取得手順と、
広告コンテンツを再生する再生タイミングが、前記取得手順により取得された曲情報で示される曲と対応付けられた特定広告コンテンツを示すコンテンツ識別情報が存在するかを、前記広告再生装置が判断する判断手順と、
前記判断手順において前記特定広告コンテンツを示すコンテンツ識別情報が存在すると判断された場合、前記広告再生装置が、前記取得手順において取得された曲情報に基づいて、前記判断手順において判断されたコンテンツ識別情報で示される前記特定広告コンテンツを、対応付けられた再生タイミングで再生する再生手順と、
を備えることを特徴とする広告再生方法。
【発明の詳細な説明】
【技術分野】
【０００１】
本発明は、カラオケや楽器演奏等のための曲演奏サービスのユーザに対して広告コンテンツを再生する広告再生装置に関する。
【背景技術】
【０００２】
従来、カラオケ施設に設けられた設備を利用して、利用客に対して広告コンテンツを表示することで、利用客に商品やサービスの購買を促すことが行われている。
この種の広告表示機能を備えたカラオケ装置として、例えば、特許文献１に記載のものがある。このカラオケ装置では、カラオケ画像の表示に用いられるメインディスプレイとは異なるサブディスプレイに、それまで再生してきた曲のジャンルに適合するサブ画像（広告）が表示される。
【先行技術文献】
【特許文献】
【０００３】
【特許文献１】特開平１０−１８７１６８号公報
【発明の概要】
【発明が解決しようとする課題】
【０００４】
上記先行技術のカラオケ装置は、再生された曲の履歴に基づいて選択された広告が表示されるものであり、再生中の曲に合わせて、広告が表示されるものではない。また、再生中の曲と表示される広告との関連性について考慮されていないため、再生中の曲と何ら関連性のない広告が表示される可能性もある。そのような場合、利用客に対する広告の印象が薄くなり、高い広告効果は期待できない。
【０００５】
一方、曲を再生する曲再生装置（例えば、カラオケ装置）と、広告コンテンツを再生する広告再生装置とは、それぞれ独立して処理を行う装置で構成する場合がある。このようにした場合、曲再生装置が、広告コンテンツを再生する機能を備える場合と比較して、曲再生装置の処理負荷を軽減し、曲再生装置本来の機能としての曲再生サービスの品質を向上できる。
【０００６】
しかしながら、曲再生装置と広告再生装置とが独立して処理を行う装置であるが故に、広告コンテンツを曲の再生中や再生直後に表示させたい場合であっても、広告再生装置が、曲再生装置により再生される曲と合わせて広告コンテンツを再生することができなかった。
【０００７】
本発明は、上記課題を解決するためになされたものである。その目的は、曲を再生する曲再生装置と通信する広告再生装置が、曲再生装置により再生される曲に対応した再生タイミングで広告コンテンツを再生するための技術を提供することである。
【課題を解決するための手段】
【０００８】
上記目的を達成するためになされた本発明は、曲を再生する曲再生装置と、広告コンテンツを再生する広告再生装置とを備えるシステムを構成する広告再生装置に関する。本発明の広告再生装置は、取得手段と、判断手段と、再生手段とを備える。
【０００９】
取得手段は、曲再生装置と通信することにより、所定のタイミングで、曲再生装置において再生段階にある曲の識別情報を少なくとも含む曲情報を曲再生装置から取得する。判断手段は、広告コンテンツを再生する再生タイミングが、取得手段により取得された曲情報で示される曲と対応付けられた特定広告コンテンツを示すコンテンツ識別情報が存在するかを判断する。再生手段は、判断手段により特定広告コンテンツを示すコンテンツ識別情報が存在すると判断された場合、取得手段により取得された曲情報に基づいて、判断手段により判断されたコンテンツ識別情報で示される特定広告コンテンツを、対応付けられた再生タイミングで再生する。
【００１０】
本発明によれば、曲再生装置と異なる装置として別体に構成された広告再生装置であっても、曲再生装置による曲の再生時期に合わせたタイミング（例えば、再生中や再生後）で、その再生曲と対応付けられた広告コンテンツを再生することができる。このようにすることで、曲の再生と、その曲と関連性のある広告コンテンツの再生との相乗効果により、ユーザに対する高い訴求効果を得られる。
【００１１】
なお、請求項２に記載のように、曲再生装置の具体例としては、カラオケの伴奏曲を再生するカラオケサービス用の装置（いわゆるカラオケ装置）が挙げられる。また、本発明の広告再生装置が再生する広告コンテンツの具体例としては、カラオケユーザに対する広告コンテンツが挙げられる。そして、特定広告コンテンツとしては、カラオケ曲とタイアップ関係にある広告コンテンツ（タイアップ広告）が挙げられる。ここでいうタイアップ関係とは、曲と広告コンテンツとの結びつきによって、相乗効果を得たり相互に利益を共有するための商業的な協力・提携関係をいう。一例としては、ある商品とその商品の広告に用いられる曲（コマーシャルソング）という関係や、映画やテレビ番組とその主題歌や挿入歌といった関係がある。
【００１２】
このような構成によれば、カラオケサービスのユーザに対して、カラオケ曲の再生時期に合わせたタイミングで、そのカラオケ曲とのタイアップ広告を再生することができる。このようにすることで、カラオケ曲の再生と、そのカラオケ曲のタイアップ広告の再生との相乗効果により、ユーザに対する高い広告効果を得られる。
【００１３】
つぎに、請求項３に記載の広告再生装置は、以下の特徴を有する。すなわち、広告再生装置は、特定広告コンテンツを再生するタイミングが、前記取得手段で取得された曲情報で示される曲の再生終了後であるか否かを判断する再生判断手段を備える。そして、再生判断手段により、特定広告コンテンツを再生する再生タイミングが曲情報で示される曲の再生終了後であると判断された場合、再生手段は、取得手段により取得された曲情報で示される曲の再生が終了したときに、判断手段により判断されたコンテンツ識別情報で示される特定広告コンテンツを再生する。このようにすることで、再生が行われた曲と、その曲の再生終了に合わせて再生される広告コンテンツとの相乗効果により、ユーザに対してより強い印象を与えることができる。
【００１４】
つぎに、請求項４に記載の広告再生装置は、以下の特徴を有する。すなわち、再生手段は、予め定められた再生順リストに基づいて、所定の複数の広告コンテンツを規定の再生順に従って順次再生し、判断手段により特定広告コンテンツが存在すると判断されたときに、判断された特定広告コンテンツを、再生順リストで規定されている再生順よりも優先して再生する。このような構成によれば、規定の再生順に従って広告コンテンツを再生することで、広告コンテンツを再生できる機会を無駄なく活用できる。その上、再生される曲に対応する特定広告コンテンツを再生できるタイミングには、その特定広告コンテンツを優先的に再生することで、ユーザに対する訴求効果が一層高まる。
【００１５】
ところで、再生される曲に対応する特定広告コンテンツの有無を判断する具体的な手法としては、請求項５に記載のように構成することが考えられる。すなわち、広告再生装置は、曲再生装置により再生される曲と、広告コンテンツを再生する再生タイミングが対応付けられた特定広告コンテンツを示すコンテンツ識別情報との対応付けを示す対応付けリストを記憶する記憶手段を備える。そして、判断手段は、記憶手段の対応付けリストに基づいて、取得手段により取得された曲情報で示される曲と対応付けられた特定広告コンテンツを示すコンテンツ識別情報が存在するかを判断する。このような構成によれば、広告再生装置が記憶する対応付リストの中から、再生される曲に対応する特定広告コンテンツの有無を、広告再生装置自らが判断できる。
【００１６】
あるいは、請求項６に記載のように構成してもよい。すなわち、広告再生装置は、広告コンテンツを再生する再生タイミングが、曲再生装置により再生される曲と対応付けられた特定広告コンテンツの有無を示す判断情報を、曲再生装置から取得する判断情報取得手段を備える。そして、判断手段は、判断情報取得手段により取得された判断情報に従って、特定広告コンテンツが存在するかを判断する。このような構成によれば、再生される曲に対応する特定広告コンテンツの有無を広告再生装置自らが判断する代わりに、曲再生装置側で特定広告コンテンツの有無を判断された結果を取得することで、その特定広告コンテンツを再生できる。
【００１７】
なお、本発明は、請求項７に記載のように、曲を再生する曲再生装置と、広告コンテンツを再生する広告再生装置とを備える広告再生システムとして実現することもできる。また、本発明は、請求項８に記載の広告表示方法として実現することもできる。
【図面の簡単な説明】
【００１８】
【図１】カラオケシステムの概略構成を示すブロック図。
【図２】曲とタイアップ広告との対応情報の一例を示す説明図。
【図３】広告再生装置のメイン処理の手順を示すフローチャート。
【発明を実施するための形態】
【００１９】
以下、本発明の一実施形態を図面に基づいて説明する。なお、本発明は下記の実施形態に何ら限定されるものではなく様々な態様にて実施することが可能である。
［カラオケシステムの構成の説明］
実施形態のカラオケシステムは、図１に示すように、カラオケ店舗に配置された広告再生装置１、カラオケ装置２、及び、リモコン端末３と、広域ネットワークに接続されたセンタサーバ４とを含んで構成される。なお、図１では、カラオケ店舗内に複数設けられたカラオケルームのうちの１室を例に挙げたものである。
【００２０】
広告再生装置１及びカラオケ装置２は、カラオケ店舗内のＬＡＮに設けられたブロードバンドルータＢＲを中継して広域ネットワークに接続する。また、リモコン端末３は、無線ＬＡＮのインフラストラクチャモードにより無線ＬＡＮアクセスポイントＡＰを中継して、カラオケ店舗内のＬＡＮにネットワーク接続し、更にブロードバンドルータＢＲと接続する。
【００２１】
カラオケ店舗内のカラオケルームには、カラオケ装置２、リモコン端末３、メインディスプレイ２１、サブディスプレイ１５が設置されている。メインディスプレイ２１は、カラオケ装置２に接続されている。メインディスプレイ２１には、カラオケ装置２から出力されるカラオケサービス用の映像が表示される。一方、サブディスプレイ１５は、広告再生装置１に接続されている。サブディスプレイ１５には、カラオケルーム内でカラオケサービスを利用する利用客（ユーザ）に向けた広告コンテンツの映像が表示される。
【００２２】
広告再生装置１は、センタサーバ４から配信された広告コンテンツの映像を再生する業務用の装置である。広告再生装置１は、ハードウェア構成として制御部１０、記憶部１１、ＬＡＮインタフェース部１２、ビデオＲＡＭ１３、映像制御部１４等を備える。広告再生装置１は、装置全体の制御を司る制御部１０を中心に構成されている。制御部１０は、ＣＰＵ、ＲＯＭ、ＲＡＭ、Ｉ／Ｏ等で構成された情報処理デバイスであり、ＲＯＭや記憶部１１から読込んだプログラムやデータに基づいて種々の処理を実行する。広告再生装置１は、制御部１０がプログラムに基づく処理を実行することにより、センタサーバ４から配信された広告コンテンツの映像を再生する。
【００２３】
記憶部１１は、ハードディスクドライブや不揮発性半導体メモリ等で構成された記憶装置である。記憶部１１には、その一部としてプログラム記憶領域、広告コンテンツ記憶領域、対応情報記憶領域が設けられている。記憶部１１は、センタサーバ４から送信された広告再生順リストと広告コンテンツとを、広告コンテンツ記憶領域に記憶する。広告再生順リストは、後述のように、制御部１０により複数の広告コンテンツを再生するときの順序を示すリストである。記憶部１１は、センタサーバ４から配信される後述の対応情報のファイルを、対応情報記憶領域に記憶する。また、記憶部１１は、カラオケ装置２から受信する、再生される曲を示す曲情報を記憶する。詳細には、広告再生装置１は、カラオケ装置２から、再生される曲を示す曲情報を定期的に受信する。記憶部１１は、カラオケ装置２から受信した曲情報と、前回カラオケ装置２から受信した曲情報とを記憶する。ＬＡＮインタフェース部１２は、カラオケ店舗内のＬＡＮに接続して、カラオケ装置２やセンタサーバ４と通信を行うための通信インタフェースである。
【００２４】
ビデオＲＡＭ１３は、広告コンテンツ等の映像情報を一時的に保存するメモリである。このビデオＲＡＭ１３は、映像制御部１４に接続されている。映像制御部１４は、ビデオＲＡＭ１３の映像情報や制御部１０から送信されてくる広告コンテンツの映像データに基づいて映像の再生を行う。映像制御部１４には、サブディスプレイ１５が接続されている。サブディスプレイ１５は、例えば液晶パネルディスプレイ（ＬＣＤ）として具現化される。映像制御部１４によって再生された映像はサブディスプレイ１５に表示される。
【００２５】
カラオケ装置２は、ネットワークを通じて配信されたカラオケ曲に基づくカラオケ演奏を行い、ユーザにカラオケサービスを提供する業務用の装置である。カラオケ装置２は、店舗内ＬＡＮや広域ネットワークを介して、広告再生装置１やリモコン端末３、センタサーバ４との間でデータ通信可能に構成されている。また、カラオケ装置２には、メインディスプレイ２１が接続されている。カラオケ装置２は、ユーザからリクエストされた曲の伴奏音楽を演奏するのに併せて、背景映像や曲の歌詞テロップをメインディスプレイ２１に表示させる。
【００２６】
カラオケ装置２は、ユーザからリモコン端末３をとおしてリクエストされた曲を、予約リストとして保持する。そして、カラオケ装置２は、この予約リストで示される順序に沿って、カラオケの伴奏音楽を順次再生する。このとき、カラオケ装置２は、伴奏音楽を再生している曲を示す識別情報（曲ＩＤ）を、再生される曲を示す情報として実行メモリに記憶する。そして、実行メモリに記憶している曲の再生が終了すると、カラオケ装置２は、再生される曲を示す情報として実行メモリに記憶している情報を、予約リストにおける次の予約曲を示す識別情報（曲ＩＤ）に更新する。カラオケ装置２は、実行メモリに新たに記録された曲の再生の準備を開始し、準備が終わると、カラオケの伴奏音楽の再生を開始する。ここでは、再生される曲の識別情報が実行メモリに記憶されてから、別の曲の識別情報に書替えられるか消去されるまでを、「再生段階にある曲」と称する。カラオケ装置２は、広告再生装置１からの再生段階の曲に関する曲情報を取得する要求に応じて、実行メモリに記憶している曲の識別情報（曲ＩＤ）を含む曲情報を、広告再生装置１へ送信する。また、カラオケ装置２は、予約リストに予約曲がなく、曲の再生が行われない場合は、広告再生装置１へ要求に応じて、再生される曲がないことを示す情報を送信する。なお、カラオケ装置２のその他の機能や構成については公知技術に従っているので、ここでの詳細な説明は省略する。
【００２７】
リモコン端末３は、カラオケルーム内でカラオケ装置２を遠隔操作するための通信端末装置である。リモコン端末３は、ユーザが再生を希望する曲のリクエストを行うための操作を受付ける。そして、ユーザからリクエストされた曲の情報を無線ＬＡＮ通信や赤外線通信によって操作対象のカラオケ装置２に送信する。
【００２８】
センタサーバ４は、カラオケ店舗内の広告再生装置１に広告コンテンツのデータを配信するサービスを含む、各種カラオケサービスを提供するサーバ装置である。このセンタサーバ４は、適宜な処理能力を有する情報処理装置等で構成されており、広告再生装置１に提供可能な広告コンテンツをデータベースに多数保有している。広告コンテンツは、カラオケサービスの利用客に対して様々な商品やサービスを宣伝するための映像情報である。また、多数の広告コンテンツの中には、カラオケで演奏される曲と特定のタイアップ関係にあるタイアップ広告が含まれる。タイアップ広告は、タイアップ関係があると定められる曲との結びつきにより相乗効果を得るために、タイアップ関係があると定められた曲の再生中や再生直後といったタイミングで再生されるよう、タイアップ広告の再生タイミングが曲と対応付けられている。そのため、センタサーバ４には、図２に示すように、カラオケで演奏される曲の識別情報（曲ＩＤ）と、その曲が再生されるタイミングに合わせて再生されるべきタイアップ広告の識別情報（タイアップ広告ＩＤ）とが紐付けされた対応情報が記憶されている。なお、曲の識別情報の他に、曲のタイトルやアーティスト名、ジャンルといった、曲を特定可能な属性情報を、タイアップ広告ＩＤに対応付けて記録しておいてもよい。
【００２９】
［広告コンテンツの更新方法の説明］
つぎに、広告再生装置１がセンタサーバ４から最新の広告コンテンツ、及び、曲とタイアップ広告との対応情報の配信を受ける手順について説明する。まず、広告再生装置１の制御部１０は、センタサーバ４から最新の広告再生順リストを取得する。広告再生順リストは、センタサーバ４から広告再生装置１に配信可能な最新の広告コンテンツの一覧と、それらの広告コンテンツに対して規定した再生順序とを示すリストである。広告再生装置１の制御部１０は、広告再生順リストで示される順序に従って、センタサーバ４から取得した広告コンテンツを順次再生する。センタサーバ４は、広告再生装置１からの広告再生順リストの取得要求に応じて、保有している広告再生順リストを要求元の広告再生装置１に送信する。
【００３０】
つぎに、広告再生装置１の制御部１０は、センタサーバ４から取得した広告再生順リストで示される広告コンテンツの一覧と、広告再生装置１が既に記憶部１１の広告コンテンツ記憶領域に保有している広告コンテンツとを比較し、広告コンテンツの更新があるか否かを判定する。判定の結果、広告コンテンツの更新がある場合、すなわち、広告再生順リストで示される広告コンテンツの一覧と、広告再生装置１が既に広告コンテンツ記憶領域に保有している広告コンテンツとが一致しない場合、制御部１０は、センタサーバ４に対し、最新の広告コンテンツのデータの取得を要求する。センタサーバ４は、広告再生装置１からの広告コンテンツの取得要求に応じて、保有している最新の広告コンテンツのデータを要求元の広告再生装置１に配信する。制御部１０は、センタサーバ４から取得した広告コンテンツを、記憶部１１の広告コンテンツ記憶領域に格納する。
【００３１】
つぎに、広告再生装置１の制御部１０は、カラオケで演奏される曲の識別情報と、その曲と関連があるとしてタイアップすると定められたタイアップ広告の識別情報とが紐付けされた対応情報のファイルをセンタサーバ４から取得する。制御部１０は、センタサーバ４から取得した対応情報のファイルを、記憶部１１の対応情報記憶領域に格納する。
【００３２】
［広告再生装置１のメイン処理の説明］
広告再生装置１の制御部１０が実行するメイン処理の手順について、図３のフローチャートを参照しながら説明する。この処理は、広告再生装置１の電源がオンの間、繰返し実行される。なお、本実施形態では、広告再生装置１の制御部１０が、広告再生順リストで示される規定の再生順序に従って広告コンテンツを順次再生する処理を、上記メイン処理と並行して実行することを前提とする。
【００３３】
Ｓ１００では、制御部１０は、ＬＡＮインタフェース１２を介した通信によって、カラオケ装置２により再生される曲である、現時点において再生段階にある曲に関する曲情報を、カラオケ装置２から取得する。なお、曲情報の取得は、定期的（例えば、１分間隔）に行う。これに対して、カラオケ装置２は、広告再生装置１からの取得要求に応じて、自身のカラオケ装置２において再生段階にある曲に関する曲情報を要求元の広告再生装置１に送信する。制御部１０は、カラオケ装置２から取得した曲情報を、再生中の曲を示す曲情報として、記憶部１１に記憶する。記憶部１１に既に記憶されている曲情報は、前回取得時に取得された曲情報となる。
【００３４】
なお、ここでいう「再生段階にある曲」とは、現在再生中の曲や、再生が終了した曲であり、かつ、次の曲が再生される前の時点の曲であり、実際には、カラオケ装置２の再生用の実行メモリに曲のデータが読込まれている状態のものを指す。また、曲情報には曲の識別情報（曲ＩＤ）が含まれる。また、曲情報には、曲の識別情報の他に、曲のタイトルやアーティスト名、ジャンルといった、曲を特定可能な属性情報が含まれていてもよい。
【００３５】
次のＳ１０２では、制御部１０は、今回取得した曲情報で示される曲ＩＤが、前回取得した曲情報で示される曲ＩＤと異なるか否かで処理を分岐する。具体的には、ステップＳ１００でカラオケ装置２から今回取得した曲情報で示される曲ＩＤと、記憶部１１に記憶されている前回取得時の曲情報で示される曲ＩＤとを比較する。前回取得時と異なる曲ＩＤを示す曲情報を取得した場合（Ｓ１０２：ＹＥＳ）、制御部１０はＳ１０４に進む。なお、ステップＳ１０２で、前回取得時と異なる曲ＩＤを示す曲情報を取得したと判断されることにより、前回取得時の曲情報で示される曲の再生は、終了しているとする。一方、前回取得時と同じ曲ＩＤを示す曲情報を取得した場合（Ｓ１０２：ＮＯ）、制御部１０はＳ１００に戻る。
【００３６】
前回取得時と異なる曲ＩＤを取得した場合に進むＳ１０４では、制御部１０は、保有する広告コンテンツの中に、前回取得時の曲情報で示される曲に対応するタイアップ広告があるか否かを判定する。タイアップ広告の有無は、前回取得時の曲情報で示される曲ＩＤを、記憶部１１に格納されている対応情報に照し合せることで判断する。あるいは、前回取得時の曲情報で示される曲が再生されていたときに、後述のＳ１１０においてタイアップ広告の有無を既に判定した結果を用いてもよい。前回取得時の曲情報で示される曲に対応するタイアップ広告がある場合（Ｓ１０４：ＹＥＳ）、制御部１０はＳ１０６に進む。一方、前回取得時の曲情報で示される曲に対応するタイアップ広告がない場合（Ｓ１０４：ＮＯ）、制御部１０はＳ１１０に進む。
【００３７】
前回取得時の曲情報で示される曲に対応するタイアップ広告がある場合に進むＳ１０６では、制御部１０は、タイアップ広告を曲の再生終了後に再生する設定になっているか否かを判定する。曲の再生終了後にタイアップ広告を再生する設定になっている場合（Ｓ１０６：ＹＥＳ）、制御部１０はＳ１０８に進む。一方、曲の再生終了後にタイアップ広告を再生する設定になっていない場合（Ｓ１０６：ＮＯ）、制御部１０はＳ１１０に進む。
【００３８】
なお、本実施形態では、タイアップ広告の再生を曲の再生後に行うか再生中に行うかの設定が、広告再生装置１の設定情報として予め登録されているものとする。それ以外の方法としては、タイアップ広告の再生を曲の再生後に行うか再生中に行うかを、曲やタイアップ広告ごとに設定することが挙げられる。その場合、曲とタイアップ広告との対応情報に、タイアップ広告の表示タイミング（曲再生後か、曲再生中）を示す情報を記録しておくことが考えられる。あるいは、カラオケ装置２から取得する曲情報に、タイアップ広告の表示タイミングを示す情報が含まれるように構成することが考えられる。
【００３９】
曲の再生終了後にタイアップ広告を再生する設定になっている場合に進むＳ１０８では、制御部１０は、前回取得時の曲情報で示される曲、すなわち、直前に再生が終了したと考えられる曲に対応するタイアップ広告を再生する。このとき、広告再生順リストで示される規定の再生順序に従って別の広告コンテンツを再生中の場合、その再生中の広告コンテンツの再生が完了するのを待ってから、タイアップ広告を規定の再生順序に割込ませて優先的に表示する。
【００４０】
一方、前回取得時の曲情報で示される曲に対応するタイアップ広告がない、曲の再生終了後にタイアップ広告を再生する設定になっていない、又は、前回取得時の曲情報で示される曲に対応するタイアップ広告の再生した場合に進むＳ１１０では、制御部１０は、Ｓ１００で今回取得した曲情報に対応する曲、すなわち、カラオケ装置２において再生中の曲に対応するタイアップ広告があるか否かを判定する。タイアップ広告の有無は、今回取得した曲情報で示される曲ＩＤを、記憶部１１に格納されている対応情報に照し合せることで判断する。再生中の曲に対応するタイアップ広告がある場合（Ｓ１１０：ＹＥＳ）、制御部１０はＳ１１２に進む。一方、再生中の曲に対応するタイアップ広告がない場合（Ｓ１１０：ＮＯ）、制御部１０はＳ１００に戻る。
【００４１】
再生中の曲に対応するタイアップ広告がある場合に進むＳ１１２では、曲の再生中にタイアップ広告を再生する設定になっているか否かを判定する。曲の再生中にタイアップ広告を再生する設定になっている場合（Ｓ１１２：ＹＥＳ）、制御部１０はＳ１１４に進む。一方、曲の再生中にタイアップ広告を再生する設定になっていない場合（Ｓ１１２：ＮＯ）、制御部１０はＳ１００に戻る。
【００４２】
曲の再生中にタイアップ広告を再生する設定になっている場合に進むＳ１１４では、制御部１０は、再生中の曲に対応するタイアップ広告を再生する。このとき、広告再生順リストで示される規定の再生順序に従って別の広告コンテンツを再生中の場合、その再生中の広告コンテンツの再生が完了するのを待ってから、タイアップ広告を規定の再生順序に割込ませて優先的に表示する。
【００４３】
［効果］
実施形態の広告再生装置１によれば、以下の効果を奏する。
カラオケ装置２とは別体に構成された広告再生装置１において、広告コンテンツの再生タイミングが曲と対応付けられたタイアップ広告を、曲の再生時期に合わせたタイミング（再生中や再生後）に再生することができる。このようにすることで、曲の再生と、その曲とタイアップ関係にあるタイアップ広告の再生との相乗効果により、ユーザに対する高い訴求効果を得られる。
【００４４】
通常時は、広告再生順リストで示される規定の再生順に従って広告コンテンツを順次再生することで、広告コンテンツを再生できる機会を無駄なく活用できる。その上で、再生される曲に対応するタイアップ広告を再生できるタイミングには、そのタイアップ広告を優先的に再生することで、ユーザに対する訴求効果が一層高まる。
【００４５】
［変形例］
上記実施形態の変形例について、以下に説明する。
曲の再生中に、その曲に対応するタイアップ広告を再生する際、曲の再生時間内における特定のタイミングに合わせて、タイアップ広告の再生を行うように構成してもよい。例えば、曲の再生開始から所定時間後（例えば、３０秒後）のタイミングでタイアップ広告を再生したり、曲の前奏や間奏、後奏といった特定の演奏区間のタイミングでタイアップ広告を再生するといった運用が考えられる。
【００４６】
具体的な構成としては、曲とタイアップ広告との対応情報（図２参照）に、広告再生時間の情報項目を追加し、そこに曲の再生時間に対応付けたタイアップ広告の再生タイミングを示す情報を記録しておくものとする。あるいは、曲の再生時間に対応付けたタイアップ広告の再生タイミングを、広告再生装置１の設定として一律に規定しておくような構成であってもよい。
【００４７】
そして、広告再生装置１の制御部１０は、メイン処理のＳ１１０（図３参照）でタイアップ広告を再生する際、再生中の曲に該当の対応情報における広告再生時間で示される再生タイミングに合わせて、タイアップ広告を再生する。
【００４８】
なお、カラオケ装置２による曲の再生時間を広告再生装置１が把握できるようにする方法としては、広告再生装置１とカラオケ装置２との間で通信を行い、曲の再生時間を計時する時計を両者で同期させることが考えられる。また、カラオケ装置２が曲の前奏や間奏、後奏のタイミングで広告再生装置１に通知することで、広告再生装置１がそれらの演奏区間を把握することが考えられる。
【００４９】
あるいは、上記実施形態では、曲の再生に対応付けて、その曲とタイアップ関係にあるタイアップ広告を再生する事例について説明したが、タイアップ広告に限らず、様々な態様の広告コンテンツを再生するような構成であってもよい。例えば、広告コンテンツの再生タイミングが曲の間奏のタイミングに対応付けられた広告コンテンツといった具合に、曲の特定の演奏区間と、その演奏区間のタイミングで再生する広告コンテンツとの対応関係に基づいて、広告コンテンツを再生するような構成であってもよい。その場合、曲の特定の演奏区間に対応付けられるのは、曲とタイアップ関係にある広告コンテンツに限られなくともよい。また、１つの曲のある演奏区間に複数の広告コンテンツが対応付けられていてもよい。
【００５０】
このような構成によれば、曲の間奏区間に対応する広告枠には通常より高めの広告料金を設定しておき、曲の間奏のタイミングに合わせて、ある広告コンテンツの再生を行うといった広告サービスを行うことができる。あるいは、曲の間奏のタイミングで、カラオケ店舗でのキャンペーン映像を重点的に再生するといった運用を行うこともできる。
【００５１】
上記実施形態では、広告再生装置１が、曲とタイアップ広告との対応情報に基づいて、再生段階の曲に対応するタイアップ曲の有無を判断する構成について説明した。これに対し、カラオケ装置２が、再生段階の曲に対応するタイアップ曲の有無を広告再生装置１に通知し、その通知結果に基づいて広告再生装置１がタイアップ広告を再生するような構成であってもよい。
【００５２】
その場合、具体的な構成としては、カラオケ装置２が、曲とタイアップ広告との対応情報を保有し、再生段階にある曲に対応するタイアップ広告があるかを判断する。そして、対応するタイアップ広告がある場合、カラオケ装置２は、そのタイアップ広告の識別情報を広告再生装置１に通知する。広告再生装置１は、カラオケ装置２から通知されたタイアップ広告の識別情報に基づいて、曲の再生中や再生後に、その曲に対応するタイアップ広告を再生する。
【００５３】
［特許請求の範囲に記載の構成との対応］
実施形態に記載の構成と、特許請求の範囲に記載の構成との対応は次のとおりである。
広告再生装置１の制御部１０が、判断手段、再生手段、及び、再生判断手段に相当する。また、制御部１０及びＬＡＮインタフェース部１２が、取得手段及び判断情報取得手段に相当する。また、記憶部１１が記憶手段に相当する。また、カラオケ装置２が、曲再生装置及び送信手段に相当する。
【符号の説明】
【００５４】
１…広告再生装置、１０…制御部、１１…記憶部、１２…ＬＡＮインタフェース部、１３…ビデオＲＡＭ、１４…映像制御部、１５…サブディスプレイ、２…カラオケ装置、２１…メインディスプレイ、３…リモコン端末３…センタサーバ、ＢＲ…ブロードバンドルータ、ＡＰ…無線ＬＡＮアクセスポイント。
【図１】
2014029422.tif 000003
【図２】
2014029422.tif 000004
【図３】
2014029422.tif 000005